【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
ベンチマークデータを包含する電子データ構造において、
該電子データ構造はＳＧＭＬベースの言語によって読取り可能なフォーマットを有するファイルであることを特徴とする電子データ構造。
【請求項２】
前記ファイルはＸＭＬファイルである、請求項１記載の電子データ構造。
【請求項３】
前記ファイルはＨＴＭＬファイルである請求項１または２記載の電子データ構造。
【請求項４】
前記ファイルはさらに１つまたは複数のベンチマーク定義を包含する請求項１から３までのいずれか１項記載の電子データ構造。
【請求項５】
コンピュータシステムにおける１つまたは複数のプロセスの実行により、ベンチマークデータを包含する電子データ構造を処理する方法であって、
前記電子データ構造はＳＧＭＬベースの言語によって読取り可能なフォーマットを有するファイルである、方法において、
１つまたは複数の前記電子データ構造に包含されている１つまたは複数のベンチマークデータまたはベンチマーク定義をデータ構造またはビジネスプロセスを支援するソフトウェアに取り入れることを特徴とする、方法。
【請求項６】
コンピュータシステムにおける１つまたは複数のプロセスの実行により、ベンチマークデータを包含する電子データ構造を処理する方法であって、
前記電子データ構造はＳＧＭＬベースの言語によって読取り可能なフォーマットを有するファイルであり、該ファイルはさらに１つまたは複数のベンチマーク定義を包含する、方法において、
１つまたは複数の前記電子データ構造に包含されている１つまたは複数のベンチマークデータまたはベンチマーク定義をデータ構造またはビジネスプロセスを支援するソフトウェアに取り入れることを特徴とする、方法。
【請求項７】
前記ベンチマークデータの取り入れを自動的に実施し、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項５または６記載の方法。
【請求項８】
前記ベンチマーク定義の取り入れを自動的に実施し、さらに、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項５から７までのいずれか１項記載の方法。
【請求項９】
キーワードによって識別された情報および該情報が書き込まれるデータベース構造をアルゴリズムによって相互に割り当てる、請求項７または８記載の方法。
【請求項１０】
前記アルゴリズムは１つまたは複数の表または１つまたは複数の規則を包含する、請求項９記載の方法。
【請求項１１】
１つまたは複数の前記規則は１つまたは複数の表に包含される、請求項１０記載の方法。
【請求項１２】
前記データベース構造は事前定義可能である、請求項８から１１までのいずれか１項記載の方法。
【請求項１３】
前記電子データ構造内に包含されているベンチマークデータを、前記電子データ構造内のベンチマークデータの第１のＩＤがビジネスプロセスを支援するソフトウェア内のベンチマークデータの第２のＩＤに割り当てられている表を用いて、ビジネスプロセスを支援する前記ソフトウェア内に包含されている等価のベンチマークデータにマッピングする、請求項５から１２までのいずれか１項記載の方法。
【請求項１４】
ビジネスプロセスを支援するソフトウェア、例えば企業資源計画ソフトウェアにおいて使用する、請求する請求項５から１３までのいずれか１項記載の方法。
【請求項１５】
前記ファイルはＸＭＬファイルまたはＨＴＭＬファイルである、請求項５から１４までのいずれか１項記載の方法。
【請求項１６】
コンピュータシステムにおける１つまたは複数のプロセスの実行により、ベンチマークデータを包含する電子データ構造を処理するコンピュータシステムであって、
前記電子データ構造はＳＧＭＬベースの言語によって読取り可能なフォーマットを有するファイルである、コンピュータシステムにおいて、
−プログラム命令を有するメモリと、
−データを入力する入力手段と、
−データを記憶する記憶手段と、
−１つまたは複数の前記電子データ構造内に包含されている１つまたは複数のベンチマークデータまたはベンチマーク定義をデータ構造またはビジネスプロセスを支援するソフトウェアに取り入れるプログラム命令に応答するプロセッサとを備えることを特徴とする、コンピュータシステム。
【請求項１７】
コンピュータシステムにおける１つまたは複数のプロセスの実行により、ベンチマークデータを包含する電子データ構造を処理するコンピュータシステムであって、
前記電子データ構造はＳＧＭＬベースの言語によって読取り可能なフォーマットを有するファイルであり、該ファイルはさらに１つまたは複数のベンチマーク定義を包含する、コンピュータシステムにおいて、
−プログラム命令を有するメモリと、
−データを入力する入力手段と、
−データを記憶する記憶手段と、
−１つまたは複数の前記電子データ構造内に包含されている１つまたは複数のベンチマークデータまたはベンチマーク定義をデータ構造またはビジネスプロセスを支援するソフトウェアに取り入れるプログラム命令に応答するプロセッサとを備えることを特徴とする、コンピュータシステム。
【請求項１８】
前記ベンチマークデータの取り入れが自動的に実施され、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項１６または１７記載のコンピュータシステム。
【請求項１９】
ベンチマーク定義の取り入れが自動的に実施され、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項１６から１８までのいずれか１項記載のコンピュータシステム。
【請求項２０】
キーワードによって識別された情報および該情報が書き込まれるデータベース構造がアルゴリズムによって相互に割り当てられる、請求項１８または１９記載のコンピュータシステム。
【請求項２１】
前記アルゴリズムは１つまたは複数の表または１つまたは複数の規則を包含する、請求項２０記載のコンピュータシステム。
【請求項２２】
１つまたは複数の前記規則は１つまたは複数の表に包含されている、請求項２１記載のコンピュータシステム。
【請求項２３】
前記データベース構造は事前定義可能である、請求項１９から２２までのいずれか１項記載のコンピュータシステム。
【請求項２４】
前記電子データ構造内に包含されているベンチマークデータを、前記電子データ構造内のベンチマークデータの第１のＩＤがビジネスプロセスを支援するソフトウェア内のベンチマークデータの第２のＩＤに割り当てられている表を用いて、ビジネスプロセスを支援する前記ソフトウェア内に包含されている等価のベンチマークデータにマッピングする、請求項１６から２３までのいずれか１項記載のコンピュータシステム。
【請求項２５】
ビジネスプロセスを支援するソフトウェア、例えば企業資源計画ソフトウェアにおいて使用される、請求項１６から２４までのいずれか１項記載のコンピュータシステム。
【請求項２６】
前記ファイルはＸＭＬファイルまたはＨＴＭＬファイルである、請求項１６から２５までのいずれか１項記載のコンピュータシステム。
【請求項２７】
コンピュータシステムにおける１つまたは複数のプロセスの実行により、ベンチマークデータを包含する電子データ構造を処理する命令を包含するコンピュータ読取り可能媒体であって、
前記電子データ構造はＳＧＭＬベースの言語によって読取り可能なフォーマットを有するファイルである、コンピュータ読取り可能媒体において
１つまたは複数の前記電子データ構造内の１つまたは複数のベンチマークデータまたはベンチマーク定義をデータ構造またはビジネスプロセスを支援するソフトウェアに取り入れる命令を有することを特徴とする、コンピュータ読取り可能媒体。
【請求項２８】
コンピュータシステムにおける１つまたは複数のプロセスの実行により、ベンチマークデータを包含する電子データ構造を処理する命令を包含するコンピュータ読取り可能媒体であって、
前記電子データ構造はＳＧＭＬベースの言語によって読取り可能なフォーマットを有するファイルであり、該ファイルはさらに１つまたは複数のベンチマーク定義を包含する、コンピュータ読取り可能媒体において
１つまたは複数の前記電子データ構造内の１つまたは複数のベンチマークデータまたはベンチマーク定義をデータ構造またはビジネスプロセスを支援するソフトウェアに取り入れる命令を有することを特徴とする、コンピュータ読取り可能媒体。
【請求項２９】
前記ベンチマークデータの取り入れが自動的に実施され、
１つまたは複数の前記電子データ構造を読取るステップと、
１つまたは複数の前記電子データ構造内のベンチマークデータに関する１つまたは複数のキーワードを認識するステップと、
１つまたは複数の前記キーワードによって識別された情報をデータベース構造に書き込むステップとを有する、請求項２７または２８記載のコンピュータ読取り可能媒体。
【請求項３０】
前記ベンチマーク定義の取り入れが自動的に実施され、
１つまたは複数の前記電子データ構造を読取るステップと、
１つまたは複数の前記電子データ構造内のベンチマーク定義に関する１つまたは複数のキーワードを認識するステップと、
１つまたは複数の前記キーワードによって識別された情報をデータベース構造に書き込むステップとを有する、請求項２７から２９までのいずれか１項記載のコンピュータ読取り可能媒体。
【請求項３１】
キーワードによって識別された情報および該情報が書き込まれるデータベース構造がアルゴリズムによって相互に割り当てられる、請求項２９または３０記載のコンピュータ読取り可能媒体。
【請求項３２】
前記アルゴリズムは１つまたは複数の表または１つまたは複数の規則を包含する、請求項３１記載のコンピュータ読取り可能媒体。
【請求項３３】
１つまたは複数の前記規則は１つまたは複数の表に包含されている、請求項３２記載のコンピュータ読取り可能媒体。
【請求項３４】
前記データベース構造は事前定義可能である、請求項３０から３３までのいずれか１項記載のコンピュータ読取り可能媒体。
【請求項３５】
前記電子データ構造内のベンチマークデータの第１のＩＤがビジネスプロセスを支援するソフトウェアにおけるベンチマークデータの第２のＩＤに割り当てられている表を用いる、前記電子データ構造内に包含されているベンチマークデータのビジネスプロセスを支援する前記ソフトウェアに包含されている等価のベンチマークデータへのマッピングを含む、請求項２７から３４までのいずれか１項記載のコンピュータ読取り可能媒体。
【請求項３６】
ビジネスプロセスを支援するソフトウェア、例えば企業資源計画ソフトウェアにおいて使用される、請求項２７から３５までのいずれか１項記載のコンピュータ読取り可能媒体。
【請求項３７】
前記ファイルはＸＭＬファイルまたはＨＴＭＬファイルである、請求項２７から３６までのいずれか１項記載のコンピュータ読取り可能媒体。
【請求項３８】
搬送波の形態で実施されているコンピュータデータ信号において、
コンピュータシステムにおける１つまたは複数のプロセスの実行により、ベンチマークデータを包含する電子データ構造を処理するコードを包含し、該電子データ構造はＳＧＭＬベースの言語によって読取り可能なフォーマットを有するファイルであり、
前記コードは、１つまたは複数の前記電子データ構造内の１つまたは複数のベンチマークデータまたはベンチマーク定義を、データ構造またはビジネスプロセスを支援するソフトウェアに取り入れる命令を包含することを特徴とする、コンピュータデータ信号。
【請求項３９】
搬送波の形態で実施されているコンピュータデータ信号において、
コンピュータシステムにおける１つまたは複数のプロセスの実行により、ベンチマークデータを包含する電子データ構造を処理するコードを包含し、該電子データ構造はＳＧＭＬベースの言語によって読取り可能なフォーマットを有するファイルであり、該ファイルはさらに１つまたは複数のベンチマーク定義を包含し、
前記コードは、１つまたは複数の前記電子データ構造内の１つまたは複数のベンチマークデータまたはベンチマーク定義を、データ構造またはビジネスプロセスを支援するソフトウェアに取り入れる命令を包含することを特徴とする、コンピュータデータ信号。
【請求項４０】
前記ファイルはＸＭＬファイルまたはＨＴＭＬファイルである、請求項３８または３９記載のコンピュータデータ信号。